(57)【要約】【課題】例えば、手軽な趣味の分野に属する家庭菜園、花壇、プランター等での作物の栽培において、害虫を捕獲する必要のある場所に設置し易いとともに使い勝手がよく、設置によって周囲の美観を損ねることのない優れた意匠性を有する害虫捕獲用粘着シートを提供する。【解決手段】害虫捕獲用粘着シート１０を、基材１１と、基材１１の少なくとも一方の表面に形成されたデザイン部１２と、基材１１の少なくとも他方の表面又はデザイン部１２の表面に形成された粘着剤層１３と、粘着剤層１３の表面に形成された剥離紙１４とから構成するとともに、その外形が、抜き加工によって、デザイン部１２に対応した外形形状に形成されるように構成する。【選択図】図１
2015223122.tif 000002
【特許請求の範囲】
【請求項１】
基材と、
前記基材の少なくとも一方の表面に形成されたデザイン部と、
前記基材の少なくとも他方の表面又は前記デザイン部の表面に形成された粘着剤層と、
前記粘着剤層の表面に形成された剥離紙と、を備えた害虫捕獲用粘着シートであって、
その外形は、抜き加工によって、前記デザイン部に対応した外形形状に形成されていることを特徴とする害虫捕獲用粘着シート。
【請求項２】
前記デザイン部は、正対視した場合に立体的に見えるように構成されている請求項１に記載の害虫捕獲用粘着シート。
【請求項３】
前記デザイン部は、それ自身が立体的に形成されることによって、正対視した場合に立体的に見えるように構成されている請求項２に記載の害虫捕獲用粘着シート。
【請求項４】
前記デザイン部は、前記基材が立体的に形成されることによって、正対視した場合に立体的に見えるように構成されている請求項２に記載の害虫捕獲用粘着シート。
【請求項５】
前記デザイン部は、重ね塗り印刷又は３Ｄ印刷によって、それ自身が立体的に形成されることによって、正対視した場合に立体的に見えるように構成されている請求項３に記載の害虫捕獲用粘着シート。
【請求項６】
前記デザイン部は、前記基材が、プレス又は曲げ加工によって、立体的に形成されることによって、正対視した場合に立体的に見えるように構成されている請求項４に記載の害虫捕獲用粘着シート。
【請求項７】
前記粘着剤層は、塗布によって形成された粘着剤塗布層である請求項１〜６のいずれか１項に記載の害虫捕獲用粘着シート。
【請求項８】
前記粘着剤塗布層は、前記基材の端縁部から所定の幅を残し、部分的に塗布されることによって形成された部分塗布粘着剤層である請求項７に記載の害虫捕獲用粘着シート。
【請求項９】
前記粘着剤塗布層は、粘着強度、粘着性能又は色彩の異なる複数の前記粘着剤塗布層によって塗り分けられて形成された塗り分け粘着剤層である請求項７又は８に記載の害虫捕獲用粘着シート。
【請求項１０】
前記デザイン部及び前記粘着剤層は、前記基材の両面にそれぞれ形成され、記粘着剤層は、透明又は半透明である請求項１〜９のいずれか１項に記載の害虫捕獲用粘着シート。
【請求項１１】
外部に取り付けるための、少なくとも２つの切り込み又は貫通孔をさらに備えた請求項１〜１０のいずれか１項に記載の害虫捕獲用粘着シート。
【発明の詳細な説明】
【技術分野】
【０００１】
本発明は、害虫捕獲用粘着シートに関する。さらに詳しくは、例えば、手軽な趣味の分野に属する家庭菜園、花壇、プランター等での作物の栽培において、害虫を捕獲する必要のある場所に設置し易いとともに使い勝手がよく、設置によって周囲の美観を損ねることのない優れた意匠性を有する害虫捕獲用粘着シートに関する。
【背景技術】
【０００２】
一般の農業分野における害虫防除、例えば、ハウスや温室等における害虫防除には、農薬や殺虫剤の使用が不可欠であるが、環境対策や市場からの要請によって、農薬や殺虫剤の使用を減らした「減農薬栽培」の進展が期待されている。しかし、ただ単に農薬や殺虫剤を減らした場合、害虫による作物の被害が拡大し、作物の商品価値が大きく損なわれるため、補助手段としての粘着シートによる害虫捕獲が注目されている。
【先行技術文献】
【特許文献】
【０００３】
害虫を捕獲するための害虫捕獲用粘着シートとしては、害虫の誘引色である黄色、青色又は桃色に着色するとともに、外部への取り付けを工夫した害虫捕獲用粘着シ−トが提案されている（例えば、特許文献１参照）。また、捕獲率を向上させるため、粘着面積を大きくしたアコ−デオン構造を有するものが提案されている（例えば、特許文献２参照）。
【特許文献１】特開２０１２−７５３８１号公報
【特許文献２】特開２０００−４７５４号公報
【発明の概要】
【発明が解決しようとする課題】
【０００４】
一般の農業分野におけるプロフェッショナルなハウスや温室栽培等とは異なり、家庭菜園、花壇、プランター等における栽培は、手軽にできる趣味の分野に属するものであり、一般家庭において行われるため、農薬や殺虫剤を用いることが嫌われ、害虫防除が行われないことも多く、害虫の被害も少なくない。また、一般農業用として用いられてきた既存の害虫捕獲用粘着シートは、サイズが大きく粘着力も強いため、栽培面積の小さいこれらの家庭用等の用途の場合、設置し難いばかりではなく、設置によって周囲の美観が損なわれるという問題があった。
【０００５】
本発明は、上述の問題に鑑みてなされたものであり、例えば、手軽な趣味の分野に属する家庭菜園、花壇、プランター等での作物の栽培において、害虫を捕獲する必要のある場所に設置し易いとともに使い勝手がよく、設置によって周囲の美観を損ねることのない優れた意匠性を有する害虫捕獲用粘着シートを提供することを目的とする。
【０００６】
上記目的を達成するため、本発明者等は、鋭意研究した結果、表面に意匠性に優れた、動物やキャラクター等の形状、模様、色彩を有するデザイン部を設けるとともに、従来、無機質な長方形が主であった害虫捕獲用粘着シ−トの外形を、動物やキャラクター等のデザイン部の形状に形成すること等によって、上述の問題が解決できることを見出し、本発明を完成させた。すなわち、本発明によって以下の害虫捕獲用粘着シートが提供される。
【０００７】
［１］基材と、前記基材の少なくとも一方の表面に形成されたデザイン部と、前記基材の少なくとも他方の表面又は前記デザイン部の表面に形成された粘着剤層と、前記粘着剤層の表面に形成された剥離紙と、を備えた害虫捕獲用粘着シートであって、その外形は、抜き加工によって、前記デザイン部に対応した外形形状に形成されていることを特徴とする害虫捕獲用粘着シート。
【０００８】
［２］前記デザイン部は、正対視した場合に立体的に見えるように構成されている前記［１］に記載の害虫捕獲用粘着シート。
【０００９】
［３］前記デザイン部は、それ自身が立体的に形成されることによって、正対視した場合に立体的に見えるように構成されている前記［２］に記載の害虫捕獲用粘着シート。
【００１０】
［４］前記デザイン部は、前記基材が立体的に形成されることによって、正対視した場合に立体的に見えるように構成されている前記［２］に記載の害虫捕獲用粘着シート。
【００１１】
［５］前記デザイン部は、重ね塗り印刷又は３Ｄ印刷によって、それ自身が立体的に形成されることによって、正対視した場合に立体的に見えるように構成されている前記［３］に記載の害虫捕獲用粘着シート。
【００１２】
［６］前記デザイン部は、前記基材が、プレス又は曲げ加工によって、立体的に形成されることによって、正対視した場合に立体的に見えるように構成されている前記［４］に記載の害虫捕獲用粘着シート。
【００１３】
［７］前記粘着剤層は、塗布によって形成された粘着剤塗布層である前記［１］〜［６］のいずれかに記載の害虫捕獲用粘着シート。
【００１４】
［８］前記粘着剤塗布層は、前記基材の端縁部から所定の幅を残し、部分的に塗布されることによって形成された部分塗布粘着剤層である前記［７］に記載の害虫捕獲用粘着シート。
【００１５】
［９］前記粘着剤塗布層は、粘着強度、粘着性能又は色彩の異なる複数の前記粘着剤塗布層によって塗り分けられて形成された塗り分け粘着剤層である前記［７］又は［８］に記載の害虫捕獲用粘着シート。
【００１６】
［１０］前記デザイン部及び前記粘着剤層は、前記基材の両面にそれぞれ形成され、記粘着剤層は、透明又は半透明である前記［１］〜［９］のいずれかに記載の害虫捕獲用粘着シート。
【００１７】
［１１］外部に取り付けるための、少なくとも２つの切り込み又は貫通孔をさらに備えた前記［１］〜［１０］のいずれかに記載の害虫捕獲用粘着シート。
【発明の効果】
【００１８】
本発明によって、例えば、手軽な趣味の分野に属する家庭菜園、花壇、プランター等での作物の栽培において、害虫を捕獲する必要のある場所に設置し易いとともに使い勝手がよく、設置によって周囲の美観を損ねることのない優れた意匠性を有する害虫捕獲用粘着シートが提供される。
【図面の簡単な説明】
【００１９】
【図１】本発明の害虫捕獲用粘着シートの第１の実施の形態を模式的に示し、（ａ）は平面図であり、（ｂ）は（ａ）におけるＡ−Ａ線の断面図である。
【図２】本発明の害虫捕獲用粘着シートの第１の実施の形態の変形例を模式的に示す断面図である。
【図３】本発明の害虫捕獲用粘着シートの第２の実施の形態を模式的に示し、（ａ）は一部切欠き平面図であり、（ｂ）は（ａ）におけるＢ−Ｂ線の断面図である。
【図４】本発明の害虫捕獲用粘着シートの第３の実施の形態を模式的に示し、（ａ）は一部切欠き平面図であり、（ｂ）は（ａ）におけるＣ−Ｃ線の断面図である。
【図５】本発明の害虫捕獲用粘着シートの第４の実施の形態を模式的に示す断面図である。
【図６】本発明の害虫捕獲用粘着シートの第５の実施の形態を模式的に示す断面図である。
【発明を実施するための形態】
【００２０】
以下、本発明を実施するための形態を、図面を参照しつつ具体的に説明する。
【００２１】
（第１の実施の形態）
図１（ａ）、（ｂ）に示すように、第１の実施の形態の害虫捕獲用粘着シート１０は、基材１１と、基材１１の一方の表面に形成されたデザイン部１２と、基材１１の他方の表面に形成された粘着剤層１３と、粘着剤層１３の表面に形成された剥離紙１４と、を備えたものであって、その外形は、抜き加工によって、デザイン部１２に対応した外形形状に形成されている。
【００２２】
本実施の形態において、外形の抜き加工としては、例えば、プレス抜き、ロータリーカット等の方法を用いることができる。
【００２３】
本実施の形態において、デザイン部１２は、例えば、写真やイラスト等をベースとした動物及び／又はキャラクター等の図案（形状、模様、色彩）が、ロールコーティング、スクリーン印刷コーティング、レーザーによる描画等によって形成されることが好ましい。また、重ね塗り印刷又は３Ｄ印刷等によって、正対視した場合に立体的に見えるように構成されていることがさらに好ましい。
【００２４】
なお、図１（ａ）では、１匹の猿の顔をモチーフとしたデザインであるが、例えば、同種又は異種のものの複数匹（複数個）を並列に又は所定の形状に並べたものであってもよい。
【００２５】
動物及び／又はキャラクター等の図案における色彩としては、動物及び／又はキャラクター等に固有の色彩としてもよく、また、害虫に固有のそれぞれ異なる誘引色によって着色してもよい。
【００２６】
なお、図１（ｂ）において、デザイン部１２は、それ自身が、３Ｄ印刷等により立体的に形成されることによって、正対視した場合に立体的に見えるように構成されている。このように構成することによって、害虫捕獲用粘着シート１０の意匠性をさらに向上させることができる。
【００２７】
図２に示すように、本実施の形態における変形例として、デザイン部１２は、基材１１が、例えば、プレス又は曲げ加工等によって立体的に形成されることによって、正対視した場合に立体的に見えるように構成されてもよい。
【００２８】
本実施の形態に用いられる基材１１は、粘着剤層１３を確実に保持し、屋外環境において層間剥離したり、変形することがないものであれば、どのような材質であっても特に制限はないが、例えば、ポリエステル、ポリオレフィン、等のプラスチックフィルム、合成紙、上質紙、板紙、不織布等の単体又はこれらの複数の積層によりなるラミネート材料を好適例として挙げることができる。
【００２９】
本実施の形態に用いられる粘着剤層１３は、デザイン部１２が、図１（ｂ）に示すように、基材１１の一方の表面（片面）だけに形成される場合は、通常、基材１１の他方の表面（片面）だけに形成される。この場合、粘着剤層１３としては、捕虫性能に優れたものであれば特に制限はない。しかし、捕虫効率を高めるため等の理由から、図示はしないが、デザイン部１２の表面上にさらに形成されてもよい。デザイン部１２の表面上にも形成される場合、デザイン部１２の形状、模様、色彩等のデザイン性を有効にするため、粘着剤層１３は、透明又は半透明の粘着剤から構成されたものであることが好ましい。
【００３０】
透明又は半透明な粘着剤としては、特に、制限はないが、ポリイソブチレン、ポリブテン、及びブチルゴム等から選ばれる少なくとも一種の粘着剤を含有してなるものを好適例として挙げることができる。粘着剤は有機溶剤、水媒体のほか、無溶剤ホットメルト等の形態で、例えば、塗布によって形成される。その塗布方法としては特に制限はないが、例えば、ロールコーティング、ナイフコーティング、カーテンコート、スクリーン印刷コーティング等から任意の方法を用いることができる。粘着剤層１３の厚さは、１０〜２００μｍが好ましく、２５〜８０μｍがさらに好ましい。
【００３１】
本実施の形態に用いられる剥離紙１４は、粘着剤層１３を被覆するために用いられる部材である。粘着剤層１３を保護被覆するための剥離紙１４に用いられる離型剤としては一般的なシリコーン離型剤が予め塗布されているものを用いることができる。剥離紙１４の材料としては、隠ぺい性の観点からは、着色フィルム、上質紙等が選ばれるが透明フィルムでも印刷して使用することは可能である。厚さとしては、特に制限はないが、例えば、５０〜１００μｍを挙げることができる。
【００３２】
（第２の実施の形態）
図３（ａ）、（ｂ）に示すように、第２の実施の形態の害虫捕獲用粘着シート２０は、第１の実施の形態の害虫捕獲用粘着シート１０とは、その粘着剤層１３の構成が異なっている。すなわち、第１の実施の形態における粘着剤層１３は、第２の実施の形態においては、部分塗布粘着剤層１３Ｐに変更されている。すなわち、塗布によって形成された粘着剤塗布層であって、基材１１の端縁部Ｅから所定の幅Ｗを残し（図３（ａ）では、一部切欠かれているため剥離紙１４の端縁部から所定の幅Ｗを残すように図示されている）、部分的に塗布されることによって形成された、部分塗布粘着剤層１３Ｐに変更されている。ここで、所定の幅Ｗとしては、剥離紙１４を被覆した後、粘着剤の基材１１の端縁部Ｅ側から粘着剤が滲み出すのを防止することが可能であれば特に制限はないが、例えば、端縁部Ｅから１〜１０ｍｍの幅であることが好ましい。なお、図３（ａ）及び後述する図４（ａ）の場合、説明の便宜上、デザイン部の外形を、図１（ａ）における１匹の猿の顔とは異なり、長方形で示している。
【００３３】
上述の部分塗布粘着剤層１３Ｐは、例えば、マスキングテープやスクリーン印刷を用いて形成することができる。具体的には、マスキングテープの場合、基材１１の外形より大きなマスキングテープに基材１１の外形より一回り小さい孔をあけて、基材１１がその端縁部Ｅから所定の幅を被覆されるようにしてマスキングテープを基材１１に貼り付け、マスキングテープの孔の部分から粘着剤を塗布し、その後、マスキングテープを剥離することによって形成することができる。また、スクリーン印刷の場合、基材１１の表面上に、スクリーン印刷方式で、基材１１の外形より一回り小さい面積となるように粘着剤を塗布して部分塗布粘着剤層１３Ｐを形成し、剥離紙１４を貼り付けた後に、基材１１の外形に打ち抜き加工することによっても形成することができる。
【００３４】
このように構成することによって、例えば、害虫捕獲用粘着シート２０を包装材料に収納したとき等に、基材１１と剥離紙１４の間（端縁部Ｅ側）から粘着剤が滲み出すのを有効に防止することが可能で、害虫捕獲用粘着シート２０の取り扱い易さを向上させることができる。
【００３５】
本実施の形態においては、外部に取り付けるための、少なくとも２つの切り込み又は貫通孔をさらに備えた構成とすることが、設置のし易さの観点から好ましい。図３（ａ）においては、例えば、２つの切り込みに棒（図示せず）を通して、その棒を土中に挿すことによって害虫捕獲用粘着シート２０を設置するために、中心部の上下２箇所に、２つの切り込み１５を入れた場合を示す。
【００３６】
（第３の実施の形態）
図４（ａ）、（ｂ）に示すように、第３の実施の形態の害虫捕獲用粘着シート３０は、第１の実施の形態の害虫捕獲用粘着シート１０とは、その粘着剤層１３の構成が異なっている。すなわち、第１の実施の形態における粘着剤層１３は、第３の実施の形態においては、塗り分け粘着剤層１３ＡＢに変更されている。すなわち、塗布によって形成された粘着剤塗布層であって、粘着強度、粘着性能又は色彩の異なる複数の（図４（ｂ）では２種類の）塗り分け用粘着剤塗布層１３Ａ、１３Ｂによって塗り分けられて形成された塗り分け粘着剤層１３ＡＢに変更されている。
【００３７】
塗り分け粘着剤層１３ＡＢを構成する個々の粘着剤塗布層である塗り分け用粘着剤塗布層１３Ａ、粘着剤塗布層１３Ｂの組み合わせとしては特に制限はないが、例えば、粘着強度が異なる強粘着剤塗布層と弱粘着剤塗布層との組み合わせ、粘着性能が異なる強粘着剤塗布層と再剥離粘着剤塗布層との組み合わせ、色彩が異なる透明粘着剤塗布層と着色粘着剤塗布層との組み合わせ等を挙げることができる。
【００３８】
上述の塗り分け粘着剤層１３ＡＢは、例えば、マスキングテープやスクリーン印刷を用いて形成することができる。具体的には、マスキングテープの場合、基材１１の表面に、塗布したい塗り分け用粘着剤塗布層１３Ｂの形状部分をカットした（塗り分け用粘着剤塗布層１３Ａの形状にカットした）マスキングテープを貼り付け、塗り分け用粘着剤塗布層１３Ｂを塗布、形成し、マスキングテープを剥離した後、塗布したい塗り分け用粘着剤塗布層１３Ａの形状に刳り抜いたマスキングテープを貼り付け、塗り分け用粘着剤塗布層１３Ａを塗布、形成し、マスキングテープを剥離することによって、塗り分け粘着剤層１３ＡＢを形成することができる。また、スクリーン印刷の場合、基材１１の全面に、塗布したい塗り分け用粘着剤塗布層１３Ａの形状の部分を残した状態で、塗り分け用粘着剤塗布層１３Ｂを塗布、形成し、その後、塗布されていない部分に塗り分け用粘着剤塗布層１３Ａを塗布、形成することによって、塗り分け粘着剤層１３ＡＢを形成することができる。
【００３９】
このように構成することによって、いろいろな使い方に応じて、害虫捕獲用粘着シート３０の使い勝手や取り扱い易さを向上させることができる。具体的には、強粘着剤塗布層と再剥離粘着剤塗布層との組み合わせの場合、再剥離面を利用することで、植木鉢、プランター、家具、什器等にも直接貼り付けることができるとともに、これらを強粘着剤で汚すことを防止することができる。また、機能が異なる２種類の色彩の粘着剤層を用いる場合、その機能が異なる粘着剤層の境界を明示することができる。また、アブラムシ等の歩行性害虫の捕獲効果を高めることができる。すなわち、単に端縁部Ｅから数ｍｍ幅を残して１面に強粘着剤層を形成するよりも、例えば、小径の円形状に複数の強粘着剤層を形成すると、歩行性害虫が接触する線が増大し（前者は辺の合計長さであり、後者は円周×円の個数の長さであるから、後者の方が断然に長くなる）、捕獲効果を高めることができる。
【００４０】
（第４の実施の形態）
図５に示すように、第４の実施の形態の害虫捕獲用粘着シート４０は、デザイン部１２及び粘着剤層１３が基材１１の両面にそれぞれ形成されて構成されている（剥離紙１４も同様に表面に形成されている）。この場合、デザイン部１２のデザイン性を損なうことがないように、粘着剤層１３は、透明又は半透明であるように構成されることが好ましい。
【００４１】
このように構成することによって、害虫捕獲用粘着シート１０の意匠性及び捕虫性能を向上させることができる。
【００４２】
（第５の実施の形態）
図６に示すように、第５の実施の形態の害虫捕獲用粘着シート５０は、図１（ａ）で示す第１の実施の形態における粘着剤層１３と剥離紙１４との間に、さらに基材１１及び粘着剤層１３を追加積層して構成したものである。この場合、下層側の基材１１の上面は、そこで剥離を容易にするために所定の剥離処理を施すことが好ましい。
【００４３】
このように構成することによって、下層側の粘着剤層１３が捕獲された害虫によって汚染した場合、下層側の粘着剤層１３をその上の基材１１とともに、基材１１の上面部分で剥離し、新しい粘着剤層１３の面を露出させることによって、捕虫効率を向上させるとともに、使用期間を延長することができる。
【実施例】
【００４４】
以下、本発明を実施例によってさらに具体的に説明するが、本発明はこれらの実施例によっていかなる制限を受けるものではない。
【００４５】
（実施例１）
以下のようにして実施例１の害虫捕獲用粘着シートを作製した。すなわち、基材としての厚さが０．３２ｍｍの厚手の紙（王子製紙社製、商品名：Ｎｅｗピジョン）の裏面（下側の面）に、飛翔昆虫類の誘引色の黄色塗料（大日本インキ社製、商品名：ＸＯＳ−１２００）を１０μｍの厚さに印刷、形成した。次いで、基材の裏面（下側の面）にホットメルト粘着剤（新日本石油社製、商品名：エバータックＳＡ−４００Ｅ）をホットメルト塗工機（サンツール社製）で５０μｍの厚さに塗布した。この場合、基材に、粘着剤を、予めその粘度を１４０℃付近で、５００〜６００ｍＰａｓに調整し、塗布量を調節しながら、直接塗工して粘着剤層を形成した。その後、粘着剤層の裏面（下側の面）に剥離紙（サンツール社製）を貼着した。その後、ロータリー式打ち抜き機（連続回転式打ち抜き機）（望月製作所社製）を用いて、着脱用貫通孔を光センサーで読み取り、定型幅を制御しながら、デザイン形状を外形とする抜き加工をした。その後、基材の表面（上側の面）にサルの顔面をモチーフとした立体面を３Ｄプリンター（ＸＹＺプリンティング社製、商品名：パーソナル３Ｄプリンター（ｄａ  ｖｉｎｃｈ１．０）を用いて印刷・形成し、実施例１に係る害虫捕獲用粘着シートを作製した。
【００４６】
（実施例２）
以下のようにして実施例２の害虫捕獲用粘着シートを作製した。すなわち、基材としての厚さが０．３２ｍｍの厚手の紙（王子製紙社製、商品名：Ｎｅｗピジョン）の裏面（下側の面）に、飛翔昆虫類の誘引色の黄色塗料（大日本インキ社製、商品名：ＸＯＳ−１２００）を１０μｍの厚さに印刷、形成した。次いで、基材の表面（上側の面）にサルの顔面をモチーフとしたデザイン画像を印刷した。その後、基材の裏面（下側の面）にホットメルト粘着剤（新日本石油社製、商品名：エバータックＳＡ−４００Ｅ）をホットメルト系粘着剤スクリーン塗工機（有限会社望月製作所製スクリーン印刷機に粘着剤温度維持装置を加えて改造）で５０μｍの厚さに塗布した。この場合、基材に、粘着剤を、予めその粘度を１４０℃付近で、５００〜６００ｍＰａｓに調整し、塗布量を調節しながら、表面（上側の面）のデザイン画像と比較して端縁部より３ｍｍ内側を外周とするサルの顔面をモチーフにしたスクリーン版を通して粘着剤層を形成した。その後、粘着剤層の裏面（下側の面）に剥離紙（サンツール社製）を貼着した。その後、ロータリー式打ち抜き機（連続回転式打ち抜き機）（望月製作所社製）を用いて、着脱用貫通孔を光センサーで読み取り、定型幅を制御しながら、デザイン形状を外形とする抜き加工をし、実施例２に係る害虫捕獲用粘着シートを作製した。
【符号の説明】
【００４７】
１０      害虫捕獲用粘着シート（第１の実施の形態）
１１      基材
１２      デザイン部
１３      粘着剤層
１３Ａ    塗り分け用粘着剤塗布層
１３Ｂ    塗り分け用粘着剤塗布層
１３ＡＢ  塗り分け粘着剤層
１３Ｐ    部分塗布粘着剤層
１４      剥離紙
１５      切り込み
２０      害虫捕獲用粘着シート（第２の実施の形態）
３０      害虫捕獲用粘着シート（第３の実施の形態）
４０      害虫捕獲用粘着シート（第４の実施の形態）
５０      害虫捕獲用粘着シート（第５の実施の形態）
Ｅ        基材の端縁部
Ｗ        所定の幅
【図１】
2015223122.tif 000003
【図２】
2015223122.tif 000004
【図３】
2015223122.tif 000005
【図４】
2015223122.tif 000006
【図５】
2015223122.tif 000007
【図６】
2015223122.tif 000008